(57)【要約】【課題】可視域から近赤外域までの広い波長域の光に対して良好な収差補正が可能な、小型のズームレンズを提供する。【解決手段】このズームレンズは、物体側から順に、負の屈折力を有する第１レンズ群Ｇ11と、開口絞りＳＴＯＰと、正の屈折力を有する第２レンズ群Ｇ12と、が配置されて構成される。第２レンズ群Ｇ12は、物体側から順に、正の屈折力を有する前群Ｇ12Fと、負の屈折力を有する中群Ｇ12Mと、正の屈折力を有する後群Ｇ12Rと、が配置されて構成される。前群Ｇ12Fの最も物体側には、正レンズＬ121（第１レンズ）が配置されている。中群Ｇ12Mは、正レンズＬ123と負レンズＬ124とからなる接合レンズを含んでいる。そして、所定の条件を満足することにより、広い波長域の光に対して良好な収差補正が可能になる。【選択図】図１
2012242688.tif 000002
【特許請求の範囲】
【請求項１】
物体側から順に配置された、負の屈折力を有する第１レンズ群と、開口絞りと、正の屈折力を有する第２レンズ群と、を備え、
前記第２レンズ群を光軸に沿って物体側に移動させることにより広角端から望遠端への変倍を行い、
前記第１レンズ群を光軸に沿って像面側に移動させることにより変倍にともなう像面位置の変動の補正を行うズームレンズであって、
前記第２レンズ群は、物体側から順に配置された、正の屈折力を有する第１レンズを含み全体として正の屈折力を有する前群と、正レンズと負レンズとからなる接合レンズを含み全体として負の屈折力を有する中群と、正の屈折力を有する後群と、を備え、
以下の条件式を満足することを特徴とするズームレンズ。
（１）  ０．５＜｜ｆ２／ｆ１｜＜０．６
（２）  ６３＜ν２１＜８５
（３）  ７０＜νＢＡ＜９５
ただし、ｆ１は前記第１レンズ群の焦点距離、ｆ２は前記第２レンズ群の焦点距離、ν２１は前記第１レンズのｄ線に対するアッベ数、νＢＡは前記接合レンズを構成する正レンズのｄ線に対するアッベ数を示す。
【請求項２】
前記第２レンズ群の前群に含まれる第１レンズの像側に、以下に示す条件式を満足する第２レンズが配置されていることを特徴とする請求項１に記載のズームレンズ。
（４）  ７０＜ν２２＜９５
ただし、ν２２は前記第２レンズのｄ線に対するアッベ数を示す。
【請求項３】
前記第１レンズ群は、物体側から順に配置された、正の屈折力を有する前群と、負の屈折力を有する後群と、を備え、
前記第１レンズ群の前群は正レンズ１枚で構成され、
前記第１レンズ群の後群は、物体側から順に配置された、第１負レンズと、第２負レンズと、を備えて構成されており、
以下に示す条件式を満足することを特徴とする請求項１または２に記載のズームレンズ。
（５）  ０．５＜ν１１／ν１２＜０．８
（６）  ０．５＜ν１１／ν１３＜０．８
ただし、ν１１は前記正レンズのｄ線に対するアッベ数、ν１２は前記第１負レンズのｄ線に対するアッベ数、ν１３は前記第２負レンズのｄ線に対するアッベ数を示す。
【請求項４】
以下に示す条件式を満足することを特徴とする請求項３に記載のズームレンズ。
（７）  ０≦｜Φ１１／Ｎ１１｜−｜Φ１２／Ｎ１２｜＜０．００５
（８）  ０≦｜Φ１１／Ｎ１１｜−｜Φ１３／Ｎ１３｜＜０．０１
ただし、Φ１１は前記正レンズの屈折力、Φ１２は前記第１負レンズの屈折力、Φ１３は前記第２負レンズの屈折力、Ｎ１１は前記正レンズのｄ線に対する屈折率、Ｎ１２は前記第１負レンズのｄ線に対する屈折率、Ｎ１３は前記第２負レンズのｄ線に対する屈折率を示す。
【請求項５】
以下に示す条件式を満足することを特徴とする請求項１〜４のいずれか一つに記載のズームレンズ。
（９）  ０．６＜ＢＦｗ／ｆｗ＜０．７
ただし、ＢＦｗは光学系全系の広角端におけるバックフォーカス、ｆｗは光学系全系の広角端における焦点距離を示す。
【請求項６】
以下に示す条件式を満足することを特徴とする請求項１〜５のいずれか一つに記載のズームレンズ。
（１０）  ６．５＜ｆｔ／Ｆｔ＜８．０
ただし、ｆｔは光学系全系の望遠端における焦点距離、Ｆｔは光学系全系の望遠端におけるＦナンバーを示す。
【請求項７】
以下に示す条件式を満足することを特徴とする請求項１〜６のいずれか一つに記載のズームレンズ。
（１１）  ２．０＜｜ｆ１／ωｔ｜＜３．０
ただし、ｆ１は前記第１レンズ群の焦点距離、ωｔは光学系全系の望遠端における半画角を示す。
【請求項８】
以下に示す条件式を満足することを特徴とする請求項１〜７のいずれか一つに記載のズームレンズ。
（１２）  ０≦｜Ｗ０Ｃ−Ｗ０ｄ｜＜０．０５
（１３）  ０≦｜Ｗ１ｇ−Ｗ１ｄ｜＜０．０５
（１４）  ０≦｜Ｔ０Ｃ−Ｔ０ｄ｜＜０．０５
（１５）  ０≦｜Ｔ１ｇ−Ｔ１ｄ｜＜０．０５
ただし、Ｗ０Ｃは光学系全系の広角端におけるＣ線に対するゼロ瞳位置の球面収差値、Ｗ０ｄは光学系全系の広角端におけるｄ線に対するゼロ瞳位置の球面収差値、Ｗ１ｇは光学系全系の広角端におけるｇ線に対する１０割瞳位置の球面収差値、Ｗ１ｄは光学系全系の広角端におけるｄ線に対する１０割瞳位置の球面収差値、Ｔ０Ｃは光学系全系の望遠端におけるＣ線に対するゼロ瞳位置の球面収差値、Ｔ０ｄは光学系全系の望遠端におけるｄ線に対するゼロ瞳位置の球面収差値、Ｔ１ｇは光学系全系の望遠端におけるｇ線に対する１０割瞳位置の球面収差値、Ｔ１ｄは光学系全系の望遠端におけるｄ線に対する１０割瞳位置の球面収差値を示す。
【発明の詳細な説明】
【技術分野】
【０００１】
この発明は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子が備えられた撮像装置に好適な小型のズームレンズに関する。
【背景技術】
【０００２】
近年、撮像素子のメガピクセル化が促進されたことで、被写体のより細やかな特徴を確認できるメガピクセル対応の光学系が要求されており、かかる要求を満足するために開発された光学系も多数登場してきている（たとえば、特許文献１，２を参照。）。
【０００３】
特許文献１に記載の光学系は、負の屈折力を有する第１レンズ群と、正の屈折力を有する第２レンズ群との２群構成で、小型、大口径比化を図り、監視カメラにも搭載できるものである。
【０００４】
特許文献２に記載の光学系は、負の屈折力を有する第１レンズ群と、正の屈折力を有する第２レンズ群との２群構成で、高解像撮影にも適応できるものである。
【先行技術文献】
【特許文献】
【０００５】
【特許文献１】特開２００９−２０５０５５号公報
【特許文献２】特開２００１−２８１５４３号公報
【発明の概要】
【発明が解決しようとする課題】
【０００６】
近年、防犯目的等で信頼性の高い証拠を記録するために、監視カメラにも高解像撮影が要求されている。かかる要求は、メガピクセル化された撮像素子と上記特許文献等に記載された高解像撮影にも適応可能な光学系を用いることで一応可能になる。
【０００７】
ところで、屋外で使用される監視用のカメラでは、通常、昼間は可視光による撮影を行い、夜間は近赤外光による撮影を行う。したがって、監視カメラに用いる光学系としては、可視域から近赤外域までの広い波長域に対応したものが必要となる。一般に、可視域用として設計された光学系では、特に、近赤外領域において色収差が発生し、夜間の近赤外領域での撮影の際にピントずれを起こしてしまう。このため、監視カメラに用いる光学系には、特に、可視域から近赤外域まで色収差が良好に補正されることが強く要求される。
【０００８】
しかしながら、上記特許文献に開示された光学系は、いずれも可視光による撮影を想定したものと考えられ、近赤外域における諸収差の補正が不十分であり、近赤外光による撮影を行った場合、結像性能が著しく劣化する。したがって、上記いずれの光学系も、夜間撮影を行う監視カメラには不適切なものである。可視光による撮影であっても、望遠端において特に倍率色収差の発生が著しい。また、特許文献２に記載の光学系は、光学系全長が長い。この点においても、近年小型化が要求されている監視カメラに用いる光学系としては不適切であるといえる。
【０００９】
この発明は、上述した従来技術による問題点を解消するため、可視域から近赤外域までの広い波長域の光に対して良好な収差補正が可能な、小型のズームレンズを提供することを目的とする。
【課題を解決するための手段】
【００１０】
上述した課題を解決し、目的を達成するため、この発明にかかるズームレンズは、物体側から順に配置された、負の屈折力を有する第１レンズ群と、開口絞りと、正の屈折力を有する第２レンズ群と、を備え、前記第２レンズ群を光軸に沿って物体側に移動させることにより広角端から望遠端への変倍を行い、前記第１レンズ群を光軸に沿って像面側に移動させることにより変倍にともなう像面位置の変動の補正を行うズームレンズであって、前記第２レンズ群は、物体側から順に配置された、正の屈折力を有する第１レンズを含み全体として正の屈折力を有する前群と、正レンズと負レンズとからなる接合レンズを含み全体として負の屈折力を有する中群と、正の屈折力を有する後群と、を備え、以下の条件式を満足することを特徴とする。
（１）  ０．５＜｜ｆ２／ｆ１｜＜０．６
（２）  ６３＜ν２１＜８５
（３）  ７０＜νＢＡ＜９５
ただし、ｆ１は前記第１レンズ群の焦点距離、ｆ２は前記第２レンズ群の焦点距離、ν２１は前記第１レンズのｄ線に対するアッベ数、νＢＡは前記接合レンズを構成する正レンズのｄ線に対するアッベ数を示す。
【００１１】
この発明によれば、光学系全長の短縮化を図りながら、変倍の際に生じる諸収差の補正を良好に行うことができる。特に、可視域から近赤外域までの広い波長域における軸上色収差および倍率色収差を良好に補正することができる。
【００１２】
さらに、この発明にかかるズームレンズは、前記発明において、前記第２レンズ群の前群に含まれる第１レンズの像側に、以下に示す条件式を満足する第２レンズが配置されていることを特徴とする。
（４）  ７０＜ν２２＜９５
ただし、ν２２は前記第２レンズのｄ線に対するアッベ数を示す。
【００１３】
この発明によれば、可視域から近赤外域までの広い波長域において軸上色収差および倍率色収差をより良好に補正することができる。
【００１４】
さらに、この発明にかかるズームレンズは、前記発明において、前記第１レンズ群は、物体側から順に配置された、正の屈折力を有する前群と、負の屈折力を有する後群と、を備え、前記第１レンズ群の前群は正レンズ１枚で構成され、前記第１レンズ群の後群は、物体側から順に配置された、第１負レンズと、第２負レンズと、を備えて構成されており、以下に示す条件式を満足することを特徴とする。
（５）  ０．５＜ν１１／ν１２＜０．８
（６）  ０．５＜ν１１／ν１３＜０．８
ただし、ν１１は前記正レンズのｄ線に対するアッベ数、ν１２は前記第１負レンズのｄ線に対するアッベ数、ν１３は前記第２負レンズのｄ線に対するアッベ数を示す。
【００１５】
この発明によれば、可視域から近赤外域までの広い波長域において軸上色収差および倍率色収差をより良好に補正することができる。
【００１６】
さらに、この発明にかかるズームレンズは、前記発明において、以下に示す条件式を満足することを特徴とする。
（７）  ０≦｜Φ１１／Ｎ１１｜−｜Φ１２／Ｎ１２｜＜０．００５
（８）  ０≦｜Φ１１／Ｎ１１｜−｜Φ１３／Ｎ１３｜＜０．０１
ただし、Φ１１は前記正レンズの屈折力、Φ１２は前記第１負レンズの屈折力、Φ１３は前記第２負レンズの屈折力、Ｎ１１は前記正レンズのｄ線に対する屈折率、Ｎ１２は前記第１負レンズのｄ線に対する屈折率、Ｎ１３は前記第２負レンズのｄ線に対する屈折率を示す。
【００１７】
この発明によれば、広角端から望遠端に至るまでの像面湾曲を良好に補正することができる。
【００１８】
さらに、この発明にかかるズームレンズは、前記発明において、以下に示す条件式を満足することを特徴とする。
（９）  ０．６＜ＢＦｗ／ｆｗ＜０．７
ただし、ＢＦｗは光学系全系の広角端におけるバックフォーカス、ｆｗは光学系全系の広角端における焦点距離を示す。
【００１９】
この発明によれば、適切なバックフォーカスを確保して、光学系の結像性能を維持することができる。
【００２０】
さらに、この発明にかかるズームレンズは、前記発明において、以下に示す条件式を満足することを特徴とする。
（１０）  ６．５＜ｆｔ／Ｆｔ＜８．０
ただし、ｆｔは光学系全系の望遠端における焦点距離、Ｆｔは光学系全系の望遠端におけるＦナンバーを示す。
【００２１】
この発明によれば、望遠端における適切なＦナンバーを確保して、望遠端における解像度と画像の明るさを向上させることができる。
【００２２】
さらに、この発明にかかるズームレンズは、前記発明において、以下に示す条件式を満足することを特徴とする。
（１１）  ２．０＜｜ｆ１／ωｔ｜＜３．０
ただし、ｆ１は前記第１レンズ群の焦点距離、ωｔは光学系全系の望遠端における半画角を示す。
【００２３】
この発明によれば、光学系全長の短縮化を図りながら、高変倍を実現することができる。
【００２４】
さらに、この発明にかかるズームレンズは、前記発明において、以下に示す条件式を満足することを特徴とする。
（１２）  ０≦｜Ｗ０Ｃ−Ｗ０ｄ｜＜０．０５
（１３）  ０≦｜Ｗ１ｇ−Ｗ１ｄ｜＜０．０５
（１４）  ０≦｜Ｔ０Ｃ−Ｔ０ｄ｜＜０．０５
（１５）  ０≦｜Ｔ１ｇ−Ｔ１ｄ｜＜０．０５
ただし、Ｗ０Ｃは光学系全系の広角端におけるＣ線に対するゼロ瞳位置の球面収差値、Ｗ０ｄは光学系全系の広角端におけるｄ線に対するゼロ瞳位置の球面収差値、Ｗ１ｇは光学系全系の広角端におけるｇ線に対する１０割瞳位置の球面収差値、Ｗ１ｄは光学系全系の広角端におけるｄ線に対する１０割瞳位置の球面収差値、Ｔ０Ｃは光学系全系の望遠端におけるＣ線に対するゼロ瞳位置の球面収差値、Ｔ０ｄは光学系全系の望遠端におけるｄ線に対するゼロ瞳位置の球面収差値、Ｔ１ｇは光学系全系の望遠端におけるｇ線に対する１０割瞳位置の球面収差値、Ｔ１ｄは光学系全系の望遠端におけるｄ線に対する１０割瞳位置の球面収差値を示す。
【００２５】
この発明によれば、広角端および望遠端において近赤外光による色収差を良好に補正し、また、広角端および望遠端において発生する青フレアーを効果的に抑制して、光学系の結像性能を向上させることができる。
【発明の効果】
【００２６】
この発明によれば、可視域から近赤外域までの広い波長域の光に対して良好な収差補正が可能な、小型のズームレンズを提供することができるという効果を奏する。
【図面の簡単な説明】
【００２７】
【図１】実施例１にかかるズームレンズの構成を示す光軸に沿う断面図である。
【図２】実施例１にかかるズームレンズの広角端における諸収差図である。
【図３】実施例１にかかるズームレンズの望遠端における諸収差図である。
【図４】実施例２にかかるズームレンズの構成を示す光軸に沿う断面図である。
【図５】実施例２にかかるズームレンズの広角端における諸収差図である。
【図６】実施例２にかかるズームレンズの望遠端における諸収差図である。
【図７】実施例３にかかるズームレンズの構成を示す光軸に沿う断面図である。
【図８】実施例３にかかるズームレンズの広角端における諸収差図である。
【図９】実施例３にかかるズームレンズの望遠端における諸収差図である。
【図１０】実施例４にかかるズームレンズの構成を示す光軸に沿う断面図である。
【図１１】実施例４にかかるズームレンズの広角端における諸収差図である。
【図１２】実施例４にかかるズームレンズの望遠端における諸収差図である。
【図１３】実施例５にかかるズームレンズの構成を示す光軸に沿う断面図である。
【図１４】実施例５にかかるズームレンズの広角端における諸収差図である。
【図１５】実施例５にかかるズームレンズの望遠端における諸収差図である。
【発明を実施するための形態】
【００２８】
以下、この発明にかかるズームレンズの好適な実施の形態を詳細に説明する。
【００２９】
この発明にかかるズームレンズは、物体側から順に配置された、負の屈折力を有する第１レンズ群と、開口絞りと、正の屈折力を有する第２レンズ群と、を備えて構成される。そして、第２レンズ群を光軸に沿って物体側に移動させることにより広角端から望遠端への変倍を行い、第１レンズ群を光軸に沿って像面側に移動させることにより変倍にともなう像面位置の変動の補正を行う。
【００３０】
この発明は、可視域から近赤外域までの広い波長域の光に対して良好な収差補正が可能な、小型のズームレンズを提供することを目的としている。そこで、かかる目的を達成するため、以下に示すような各種条件を設定している。
【００３１】
まず、この発明にかかるズームレンズでは、前記構成に加え、第２レンズ群が、物体側から順に配置された、正の屈折力を有する第１レンズを含み全体として正の屈折力を有する前群と、正レンズと負レンズとからなる接合レンズを含み全体として負の屈折力を有する中群と、正の屈折力を有する後群と、を備えて構成される。そして、第１レンズ群の焦点距離をｆ１、第２レンズ群の焦点距離をｆ２、第２レンズ群の前群に含まれる第１レンズのｄ線に対するアッベ数をν２１、第２レンズ群の中群に含まれる接合レンズを構成する正レンズのｄ線に対するアッベ数をνＢＡとするとき、次の条件式を満足することが好ましい。
（１）  ０．５＜｜ｆ２／ｆ１｜＜０．６
（２）  ６３＜ν２１＜８５
（３）  ７０＜νＢＡ＜９５
【００３２】
条件式（１）は、光学系全長の短縮化を図りながら、変倍の際に生じる諸収差の補正を良好に行うための条件を示すものである。条件式（１）においてその下限を下回ると、第２レンズ群の正の屈折力が強くなりすぎて球面収差が補正過剰となるため、好ましくない。一方、条件式（１）においてその上限を超えると、第２レンズ群の屈折力が弱くなりすぎて望遠端における光学系の全長が増大し、光学系の小型化が阻害される。
【００３３】
また、条件式（２），（３）は可視域から近赤外域までの広い波長域における軸上色収差および倍率色収差を良好に補正するための条件を示すものである。条件式（１）とともに条件式（２），（３）を満足することで、可視光による撮影のほか、近赤外光による撮影も行う監視カメラなどに好適な小型の光学系を実現することができる。条件式（２），（３）においていずれか一方でもその下限を下回ると、可視域から近赤外域までの広い波長域における軸上色収差の補正が困難になる。一方、条件式（２），（３）においていずれか一方でもその上限を超えると、倍率の色収差の補正が過剰となって、良好な結像性能の維持が困難になる。
【００３４】
さらに、この発明にかかるズームレンズでは、第２レンズ群の前群に含まれる第１レンズの像側に、次の条件式を満足する第２レンズが配置されていることが好ましい。
（４）  ７０＜ν２２＜９５
ただし、ν２２は当該第２レンズのｄ線に対するアッベ数を示す。
【００３５】
条件式（４）は可視域から近赤外域までの広い波長域における軸上色収差および倍率色収差を良好に補正するための条件を示すものである。上記条件式（２），（３）を満足するレンズに加え、条件式（４）を満足するレンズを配置することで、可視域から近赤外域までの広い波長域における軸上色収差および倍率色収差をより良好に補正することができる。条件式（４）においてその下限を下回ると、可視域から近赤外域までの広い波長域における軸上色収差の補正が困難になる。一方、条件式（４）においてその上限を超えると、倍率の色収差の補正が過剰となって、良好な結像性能の維持が困難になる。
【００３６】
さらに、この発明にかかるズームレンズでは、第１レンズ群が、物体側から順に配置された、正の屈折力を有する前群と、負の屈折力を有する後群と、を備えて構成される。このとき、第１レンズ群の前群を正レンズ１枚で構成し、前記第１レンズ群の後群を、物体側から順に、第１負レンズと、第２負レンズと、を配置して構成するとよい。特に、前群を構成する正レンズの凸面を物体側に向けて配置すれば、球面収差を良好に補正することができる。
【００３７】
そして、このズームレンズでは、第１レンズ群の前群を構成する正レンズのｄ線に対するアッベ数をν１１、第１レンズ群の後群を構成する第１負レンズのｄ線に対するアッベ数をν１２、第１レンズ群の後群を構成する第２負レンズのｄ線に対するアッベ数をν１３とするとき、次の条件式を満足することが好ましい。
（５）  ０．５＜ν１１／ν１２＜０．８
（６）  ０．５＜ν１１／ν１３＜０．８
【００３８】
条件式（５），（６）は、可視域から近赤外域までの広い波長域における軸上色収差および倍率色収差を良好に補正するための条件を示すものである。上記条件式（２）〜（４）に加え、条件式（５），（６）を満足することで、可視域から近赤外域までの広い波長域における軸上色収差および倍率色収差をさらに良好に補正することができる。条件式（５），（６）においていずれか一方でもその下限を下回ると、近赤外域における軸上色収差、倍率色収差を補正しきれなくなり、近赤外域の光に対する結像性能が著しく劣化する。一方、条件式（５），（６）においていずれか一方でもその上限を超えると、可視域における軸上色収差、倍率色収差を補正しきれなくなり、青色フレアーが発生しやすくなって、可視域の光に対する結像性能の劣化につながる。
【００３９】
さらに、この発明にかかるズームレンズでは、第１レンズ群の前群を構成する正レンズの屈折力をΦ１１、第１レンズ群の後群を構成する第１負レンズの屈折力をΦ１２、第１レンズ群の後群を構成する第２負レンズの屈折力をΦ１３、第１レンズ群の前群を構成する正レンズのｄ線に対する屈折率をＮ１１、第１レンズ群の後群を構成する第１負レンズのｄ線に対する屈折率をＮ１２、第１レンズ群の後群を構成する第２負レンズのｄ線に対する屈折率をＮ１３とするとき、次の条件式を満足することが好ましい。
（７）  ０≦｜Φ１１／Ｎ１１｜−｜Φ１２／Ｎ１２｜＜０．００５
（８）  ０≦｜Φ１１／Ｎ１１｜−｜Φ１３／Ｎ１３｜＜０．０１
【００４０】
条件式（７），（８）は、広角端から望遠端に至るまでの像面湾曲を良好に補正するための条件を示すものである。条件式（７），（８）のいずれか一方でも規定された範囲から外れると、広角端から望遠端に至るまでの像面湾曲を良好に補正することが困難になって、結像性能の劣化を招くことになる。
【００４１】
さらに、この発明にかかるズームレンズでは、光学系全系の広角端におけるバックフォーカスをＢＦｗ、光学系全系の広角端における焦点距離をｆｗとするとき、次の条件式を満足することが好ましい。
（９）  ０．６＜ＢＦｗ／ｆｗ＜０．７
【００４２】
条件式（９）は、適切なバックフォーカスを確保して、光学系の結像性能を維持するための条件を示すものである。条件式（９）においてその下限を下回ると、光学系のマウント取り付けに不具合が生じることになって、好ましくない。一方、条件式（９）においてその上限を超えると、変倍に伴う結像面位置の変動を補正しきれなくなり、結像性能の劣化を招く。
【００４３】
さらに、この発明にかかるズームレンズでは、光学系全系の望遠端における焦点距離をｆｔ、光学系全系の望遠端におけるＦナンバーをＦｔとするとき、次の条件式を満足することが好ましい。
（１０）  ６．５＜ｆｔ／Ｆｔ＜８．０
【００４４】
条件式（１０）は、望遠端における適切なＦナンバーを確保して、望遠端における解像度と画像の明るさを向上させるための条件を示すものである。条件式（１０）においてその下限を下回ると、回折限界により望遠端における高周波の光の解像度が低下するとともに、望遠端における画像も暗くなる。一方、条件式（１０）においてその上限を超えると、望遠端においてフレアーが発生して、コントラストが低下し画像がぼやけてしまう。
【００４５】
さらに、この発明にかかるズームレンズは、第１レンズ群の焦点距離をｆ１、光学系全系の望遠端における半画角をωｔとするとき、次の条件式を満足することを特徴とする。
（１１）  ２．０＜｜ｆ１／ωｔ｜＜３．０
【００４６】
条件式（１１）は、光学系全長の短縮化を図りながら、高変倍を実現するための条件を示すものである。条件式（１１）においてその下限を下回ると、光学系の望遠端における結像倍率が小さくなる。一方、条件式（１１）においてその上限を超えると、変倍にともなう像面位置の変動を補正するための第１レンズ群の移動量が増加し、光学系全長が増大する。
【００４７】
さらに、この発明にかかるズームレンズは、光学系全系の広角端におけるＣ線に対するゼロ瞳位置の球面収差値をＷ０Ｃ、光学系全系の広角端におけるｄ線に対するゼロ瞳位置の球面収差値をＷ０ｄ、光学系全系の広角端におけるｇ線に対する１０割瞳位置の球面収差値をＷ１ｇ、光学系全系の広角端におけるｄ線に対する１０割瞳位置の球面収差値をＷ１ｄ、光学系全系の望遠端におけるＣ線に対するゼロ瞳位置の球面収差値をＴ０Ｃ、光学系全系の望遠端におけるｄ線に対するゼロ瞳位置の球面収差値をＴ０ｄ、光学系全系の望遠端におけるｇ線に対する１０割瞳位置の球面収差値をＴ１ｇ、光学系全系の望遠端におけるｄ線に対する１０割瞳位置の球面収差値をＴ１ｄとするとき、次の条件式を満足することが好ましい。
（１２）  ０≦｜Ｗ０Ｃ−Ｗ０ｄ｜＜０．０５
（１３）  ０≦｜Ｗ１ｇ−Ｗ１ｄ｜＜０．０５
（１４）  ０≦｜Ｔ０Ｃ−Ｔ０ｄ｜＜０．０５
（１５）  ０≦｜Ｔ１ｇ−Ｔ１ｄ｜＜０．０５
【００４８】
条件式（１２）〜（１５）を満足することにより、広角端および望遠端において近赤外光によって発生する色収差を良好に補正し、また、広角端および望遠端において発生する青フレアーを効果的に抑制して、光学系の結像性能を向上させることができる。条件式（１２）は、広角端において近赤外光によって発生する色収差を良好に補正するための条件を示すものである。条件式（１２）において規定された範囲から外れると、広角端において近赤外光によって発生する色収差が顕著になり、近赤外光による撮影時の結像性能が劣化する。条件式（１３）は、広角端において発生する青フレアーを効果的に抑制するための条件を示すものである。条件式（１３）において規定された範囲から外れると、広角端において発生する青フレアーが顕著になり、可視光による撮影時の結像性能が劣化する。条件式（１４）は、望遠端において近赤外光によって発生する色収差を良好に補正するための条件を示すものである。条件式（１４）において規定された範囲から外れると、望遠端において近赤外光によって発生する色収差が顕著になり、近赤外光による撮影時の結像性能が劣化する。条件式（１５）は、望遠端において発生する青フレアーを効果的に抑制するための条件を示すものである。条件式（１５）において規定された範囲から外れると、望遠端において発生する青フレアーが顕著になり、可視域による撮影時の結像性能が劣化する。
【００４９】
以上説明したように、この発明にかかるズームレンズによれば、可視域から近赤外域までの広い波長域の光に対して良好な収差補正を実現し、良質な画像が得られる。特に、上記各条件式を満足することにより、小型でありながら、広い波長域の光に対して結像性能を劣化させる原因となる諸収差を良好に補正することができる。加えて、高変倍も可能になる。
【００５０】
以下、この発明にかかるズームレンズの実施例を図面に基づき詳細に説明する。なお、以下の実施例によりこの発明が限定されるものではない。
【実施例１】
【００５１】
図１は、実施例１にかかるズームレンズの構成を示す光軸に沿う断面図である。このズームレンズは、図示しない物体側から順に、負の屈折力を有する第１レンズ群Ｇ11と、所定の口径を規定する開口絞りＳＴＯＰと、正の屈折力を有する第２レンズ群Ｇ12と、が配置されて構成される。第２レンズ群Ｇ12と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの撮像素子の受光面が配置される。
【００５２】
第１レンズ群Ｇ11は、物体側から順に、正の屈折力を有する前群Ｇ11Fと、負の屈折力を有する後群Ｇ11Rと、が配置されて構成される。前群Ｇ11Fは、正レンズＬ111により構成される。この正レンズＬ111は凸面を物体側に向けて配置されている。また、後群Ｇ11Rは、物体側から順に、負レンズＬ112（第１負レンズ）と、負レンズＬ113（第２負レンズ）と、が配置されて構成される。
【００５３】
第２レンズ群Ｇ12は、物体側から順に、正の屈折力を有する前群Ｇ12Fと、負の屈折力を有する中群Ｇ12Mと、正の屈折力を有する後群Ｇ12Rと、が配置されて構成される。前群Ｇ12Fは、物体側から順に、正レンズＬ121（第１レンズ）と、正レンズＬ122（第２レンズ）と、が配置されて構成される。正レンズＬ121の両面には、それぞれ非球面が形成されている。中群Ｇ12Mは、物体側から順に、正レンズＬ123と、負レンズＬ124と、が配置されて構成される。正レンズＬ123と負レンズＬ124とは、接合されている。後群Ｇ12Rは、物体側から順に、正レンズＬ125と、負レンズＬ126と、が配置されて構成される。正レンズＬ125と負レンズＬ126とは、接合されている。
【００５４】
このズームレンズでは、第２レンズ群Ｇ12を光軸に沿って像面ＩＭＧ側から物体側へ移動させることにより広角端から望遠端への変倍を行う。また、第１レンズ群Ｇ11を光軸に沿って物体側から像面ＩＭＧ側へ移動させることにより変倍にともなう像面位置の変動を補正する。
【００５５】
以下、実施例１にかかるズームレンズに関する各種数値データを示す。
【００５６】
（レンズデータ）
ｒ1＝24.062
ｄ1＝2.53    ｎｄ1＝1.84666    νｄ1＝23.8
ｒ2＝-45.356
ｄ2＝0.50
ｒ3＝-136.598
ｄ3＝0.60    ｎｄ2＝1.83400    νｄ2＝37.3
ｒ4＝18.153
ｄ4＝1.36
ｒ5＝-13.159
ｄ5＝0.60    ｎｄ3＝1.80610    νｄ3＝40.7
ｒ6＝637.475
ｄ6＝D(6)（可変）
ｒ7＝∞（開口絞り）
ｄ7＝D(7)（可変）
ｒ8＝12.434（非球面）
ｄ8＝2.07    ｎｄ4＝1.61881    νｄ4＝63.9
ｒ9＝37.017（非球面）
ｄ9＝0.10
ｒ10＝9.901
ｄ10＝5.29    ｎｄ5＝1.49700    νｄ5＝81.6
ｒ11＝-14.205
ｄ11＝0.10
ｒ12＝12.739
ｄ12＝3.17    ｎｄ6＝1.49700    νｄ6＝81.6
ｒ13＝-10.098
ｄ13＝0.60    ｎｄ7＝1.80518    νｄ7＝25.5
ｒ14＝5.387
ｄ14＝1.55
ｒ15＝8.187
ｄ15＝3.09    ｎｄ8＝1.92286    νｄ8＝20.9
ｒ16＝-7.833
ｄ16＝0.60    ｎｄ9＝1.80518    νｄ9＝25.5
ｒ17＝14.239
ｄ17＝2.00
ｒ18＝∞
ｄ18＝1.20    ｎｄ10＝1.51633    νｄ10＝64.1
ｒ19＝∞
ｄ19＝D（19）
ｒ20＝∞（像面）
【００５７】
円錐係数（Ｋ）および非球面係数（Ａ，Ｂ，Ｃ，Ｄ，Ｅ）
（第８面）
Ｋ＝1.0118,
Ａ＝0,   Ｂ＝8.64092×10-5,
Ｃ＝-3.75060×10-6,   Ｄ＝1.53040×10-7，
Ｅ＝-2.97168×10-9
（第９面）
Ｋ＝18.7404,
Ａ＝0,   Ｂ＝2.77260×10-4,
Ｃ＝-2.17435×10-6,   Ｄ＝1.46730×10-7，
Ｅ＝-2.43789×10-9
【００５８】
（変倍データ）
広角端（-0.003倍）    望遠端（-0.008倍）
ｆ（光学系全系の焦点距離）      9.0                    22.3
Ｆナンバー                      1.6                     3.0
ω（半画角）                   19.9                     7.7
D(6)                            9.42                    2.75
D(7)                            8.62                    1.20
D(19)                           2.59                    9.93
【００５９】
ｆｗ（光学系全系の広角端における焦点距離）＝9.0
ｆｔ（光学系全系の望遠端における焦点距離）＝22.3
Ｆｔ（光学系全系の望遠端におけるＦナンバー）＝3.0
ωｔ（光学系全系の望遠端における半画角）＝7.7
ＢＦｗ（光学系全系の広角端におけるバックフォーカス）＝5.760
ｆ１（第１レンズ群Ｇ11の焦点距離）＝-19.630
ｆ２（第２レンズ群Ｇ12の焦点距離）＝10.838
ν１１（正レンズＬ111のｄ線に対するアッベ数）＝23.8
ν１２（負レンズＬ112（第１負レンズ）のｄ線に対するアッベ数）＝37.3
ν１３（負レンズＬ113（第２負レンズ）のｄ線に対するアッベ数）＝40.7
Φ１１（正レンズＬ111の屈折力）＝0.054
Φ１２（負レンズＬ112（第１負レンズ）の屈折力）＝-0.052
Φ１３（負レンズＬ113（第２負レンズ）の屈折力）＝-0.063
Ｎ１１（正レンズＬ111のｄ線に対する屈折率）＝1.84666
Ｎ１２（負レンズＬ112（第１負レンズ）のｄ線に対する屈折率）＝1.83400
Ｎ１３（負レンズＬ113（第２負レンズ）のｄ線に対する屈折率）＝1.80610
Ｗ０ｄ（光学系全系の広角端におけるｄ線に対するゼロ瞳位置の球面収差値）＝0.000
Ｗ０Ｃ（光学系全系の広角端におけるＣ線に対するゼロ瞳位置の球面収差値）＝0.010
Ｗ１ｄ（光学系全系の広角端におけるｄ線に対する１０割瞳位置の球面収差値）＝0.016
Ｗ１ｇ（光学系全系の広角端におけるｇ線に対する１０割瞳位置の球面収差値）＝0.034
Ｔ０ｄ（光学系全系の望遠端におけるｄ線に対するゼロ瞳位置の球面収差値）＝0.000
Ｔ０Ｃ（光学系全系の望遠端におけるＣ線に対するゼロ瞳位置の球面収差値）＝0.004
Ｔ１ｄ（光学系全系の望遠端におけるｄ線に対する１０割瞳位置の球面収差値）＝-0.070
Ｔ１ｇ（光学系全系の望遠端におけるｇ線に対する１０割瞳位置の球面収差値）＝-0.033
【００６０】
（条件式（１）に関する数値）
｜ｆ２／ｆ１｜＝0.55
【００６１】
（条件式（２）に関する数値）
ν２１（正レンズＬ121（第１レンズ）のｄ線に対するアッベ数）＝63.9
【００６２】
（条件式（３）に関する数値）
νＢＡ（正レンズＬ123のｄ線に対するアッベ数）＝81.6
【００６３】
（条件式（４）に関する数値）
ν２２（正レンズＬ122（第２レンズ）のｄ線に対するアッベ数）＝81.6
【００６４】
（条件式（５）に関する数値）
ν１１／ν１２＝0.63
【００６５】
（条件式（６）に関する数値）
ν１１／ν１３＝0.58
【００６６】
（条件式（７）に関する数値）
｜Φ１１／Ｎ１１｜−｜Φ１２／Ｎ１２｜＝0.000
【００６７】
（条件式（８）に関する数値）
｜Φ１１／Ｎ１１｜−｜Φ１３／Ｎ１３｜＝0.006
【００６８】
（条件式（９）に関する数値）
ＢＦｗ／ｆｗ＝0.64
【００６９】
（条件式（１０）に関する数値）
ｆｔ／Ｆｔ＝7.433
【００７０】
（条件式（１１）に関する数値）
｜ｆ１／ωｔ｜＝2.549
【００７１】
（条件式（１２）に関する数値）
｜Ｗ０Ｃ−Ｗ０ｄ｜＝0.010
【００７２】
（条件式（１３）に関する数値）
｜Ｗ１ｇ−Ｗ１ｄ｜＝0.018
【００７３】
（条件式（１４）に関する数値）
｜Ｔ０Ｃ−Ｔ０ｄ｜＝0.004
【００７４】
（条件式（１５）に関する数値）
｜Ｔ１ｇ−Ｔ１ｄ｜＝0.037
【００７５】
また、図２は、実施例１にかかるズームレンズの広角端における諸収差図である。図３は、実施例１にかかるズームレンズの望遠端における諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例２】
【００７６】
図４は、実施例２にかかるズームレンズの構成を示す光軸に沿う断面図である。このズームレンズは、図示しない物体側から順に、負の屈折力を有する第１レンズ群Ｇ21と、所定の口径を規定する開口絞りＳＴＯＰと、正の屈折力を有する第２レンズ群Ｇ22と、が配置されて構成される。第２レンズ群Ｇ22と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの撮像素子の受光面が配置される。
【００７７】
第１レンズ群Ｇ21は、物体側から順に、正の屈折力を有する前群Ｇ21Fと、負の屈折力を有する後群Ｇ21Rと、が配置されて構成される。前群Ｇ21Fは、正レンズＬ211により構成される。この正レンズＬ211は凸面を物体側に向けて配置されている。また、後群Ｇ21Rは、物体側から順に、負レンズＬ212（第１負レンズ）と、負レンズＬ213（第２負レンズ）と、が配置されて構成される。
【００７８】
第２レンズ群Ｇ22は、物体側から順に、正の屈折力を有する前群Ｇ22Fと、負の屈折力を有する中群Ｇ22Mと、正の屈折力を有する後群Ｇ22Rと、が配置されて構成される。さらに、前群Ｇ22Fは、正レンズＬ221（第１レンズ）により構成される。正レンズＬ221の両面には、それぞれ非球面が形成されている。中群Ｇ22Mは、物体側から順に、正レンズＬ222と、負レンズＬ223と、が配置されて構成される。正レンズＬ222と負レンズＬ223とは、接合されている。後群Ｇ22Rは、物体側から順に、正レンズＬ224と、負レンズＬ225と、が配置されて構成される。正レンズＬ224と負レンズＬ225とは、接合されている。
【００７９】
このズームレンズでは、第２レンズ群Ｇ22を光軸に沿って像面ＩＭＧ側から物体側へ移動させることにより広角端から望遠端への変倍を行う。また、第１レンズ群Ｇ21を光軸に沿って物体側から像面ＩＭＧ側へ移動させることにより変倍にともなう像面位置の変動を補正する。
【００８０】
以下、実施例２にかかるズームレンズに関する各種数値データを示す。
【００８１】
（レンズデータ）
ｒ1＝22.161
ｄ1＝2.41    ｎｄ1＝1.84666    νｄ1＝23.8
ｒ2＝-55.175
ｄ2＝0.54
ｒ3＝569.937
ｄ3＝0.60    ｎｄ2＝1.83400    νｄ2＝37.3
ｒ4＝16.315
ｄ4＝1.24
ｒ5＝-13.167
ｄ5＝0.62    ｎｄ3＝1.80610    νｄ3＝40.7
ｒ6＝185.279
ｄ6＝D(6)（可変）
ｒ7＝∞（開口絞り）
ｄ7＝D(7)（可変）
ｒ8＝8.832（非球面）
ｄ8＝6.03    ｎｄ4＝1.61881    νｄ4＝63.9
ｒ9＝-19.683（非球面）
ｄ9＝0.10
ｒ10＝8.856
ｄ10＝3.20    ｎｄ5＝1.49700    νｄ5＝81.6
ｒ11＝-17.766
ｄ11＝1.06    ｎｄ6＝1.84666    νｄ6＝23.8
ｒ12＝5.698
ｄ12＝2.13
ｒ13＝9.749
ｄ13＝3.35    ｎｄ7＝1.92286    νｄ7＝20.9
ｒ14＝-8.996
ｄ14＝0.60    ｎｄ8＝1.80518    νｄ8＝25.5
ｒ15＝17.664
ｄ15＝2.00
ｒ16＝∞
ｄ16＝1.20    ｎｄ9＝1.51633    νｄ9＝64.1
ｒ17＝∞
ｄ17＝D（17）
ｒ18＝∞（像面）
【００８２】
円錐係数（Ｋ）および非球面係数（Ａ，Ｂ，Ｃ，Ｄ，Ｅ）
（第８面）
Ｋ＝0.5723,
Ａ＝0,   Ｂ＝-9.01643×10-5,
Ｃ＝5.22604×10-7,   Ｄ＝-1.02164×10-8，
Ｅ＝1.15109×10-10
（第９面）
Ｋ＝-0.8954,
Ａ＝0,   Ｂ＝7.93750×10-5,
Ｃ＝8.61027×10-7,   Ｄ＝-1.91389×10-8，
Ｅ＝1.85974×10-10
【００８３】
（変倍データ）
広角端（-0.003倍）    望遠端（-0.008倍）
ｆ（光学系全系の焦点距離）      9.0                    22.3
Ｆナンバー                      1.6                     3.0
ω（半画角）                   19.9                     7.7
D(6)                            9.59                    2.74
D(7)                            8.72                    1.20
D(17)                           2.59                    10.02
【００８４】
ｆｗ（光学系全系の広角端における焦点距離）＝9.0
ｆｔ（光学系全系の望遠端における焦点距離）＝22.3
Ｆｔ（光学系全系の望遠端におけるＦナンバー）＝3.0
ωｔ（光学系全系の望遠端における半画角）＝7.7
ＢＦｗ（光学系全系の広角端におけるバックフォーカス）＝5.760
ｆ１（第１レンズ群Ｇ21の焦点距離）＝-19.698
ｆ２（第２レンズ群Ｇ22の焦点距離）＝11.021
ν１１（正レンズＬ211のｄ線に対するアッベ数）＝23.8
ν１２（負レンズＬ212（第１負レンズ）のｄ線に対するアッベ数）＝37.3
ν１３（負レンズＬ213（第２負レンズ）のｄ線に対するアッベ数）＝40.7
Φ１１（正レンズＬ211の屈折力）＝0.054
Φ１２（負レンズＬ212（第１負レンズ）の屈折力）＝-0.050
Φ１３（負レンズＬ213（第２負レンズ）の屈折力）＝-0.066
Ｎ１１（正レンズＬ211のｄ線に対する屈折率）＝1.84666
Ｎ１２（負レンズＬ212（第１負レンズ）のｄ線に対する屈折率）＝1.83400
Ｎ１３（負レンズＬ213（第２負レンズ）のｄ線に対する屈折率）＝1.80610
Ｗ０ｄ（光学系全系の広角端におけるｄ線に対するゼロ瞳位置の球面収差値）＝0.000
Ｗ０Ｃ（光学系全系の広角端におけるＣ線に対するゼロ瞳位置の球面収差値）＝0.007
Ｗ１ｄ（光学系全系の広角端におけるｄ線に対する１０割瞳位置の球面収差値）＝-0.022
Ｗ１ｇ（光学系全系の広角端におけるｇ線に対する１０割瞳位置の球面収差値）＝0.008
Ｔ０ｄ（光学系全系の望遠端におけるｄ線に対するゼロ瞳位置の球面収差値）＝0.000
Ｔ０Ｃ（光学系全系の望遠端におけるＣ線に対するゼロ瞳位置の球面収差値）＝0.008
Ｔ１ｄ（光学系全系の望遠端におけるｄ線に対する１０割瞳位置の球面収差値）＝-0.038
Ｔ１ｇ（光学系全系の望遠端におけるｇ線に対する１０割瞳位置の球面収差値）＝-0.008
【００８５】
（条件式（１）に関する数値）
｜ｆ２／ｆ１｜＝0.56
【００８６】
（条件式（２）に関する数値）
ν２１（正レンズＬ221（第１レンズ）のｄ線に対するアッベ数）＝63.9
【００８７】
（条件式（３）に関する数値）
νＢＡ（正レンズＬ222のｄ線に対するアッベ数）＝81.6
【００８８】
（条件式（５）に関する数値）
ν１１／ν１２＝0.63
【００８９】
（条件式（６）に関する数値）
ν１１／ν１３＝0.58
【００９０】
（条件式（７）に関する数値）
｜Φ１１／Ｎ１１｜−｜Φ１２／Ｎ１２｜＝0.002
【００９１】
（条件式（８）に関する数値）
｜Φ１１／Ｎ１１｜−｜Φ１３／Ｎ１３｜＝0.008
【００９２】
（条件式（９）に関する数値）
ＢＦｗ／ｆｗ＝0.64
【００９３】
（条件式（１０）に関する数値）
ｆｔ／Ｆｔ＝7.433
【００９４】
（条件式（１１）に関する数値）
｜ｆ１／ωｔ｜＝2.558
【００９５】
（条件式（１２）に関する数値）
｜Ｗ０Ｃ−Ｗ０ｄ｜＝0.007
【００９６】
（条件式（１３）に関する数値）
｜Ｗ１ｇ−Ｗ１ｄ｜＝0.031
【００９７】
（条件式（１４）に関する数値）
｜Ｔ０Ｃ−Ｔ０ｄ｜＝0.008
【００９８】
（条件式（１５）に関する数値）
｜Ｔ１ｇ−Ｔ１ｄ｜＝0.030
【００９９】
また、図５は、実施例２にかかるズームレンズの広角端における諸収差図である。図６は、実施例２にかかるズームレンズの望遠端における諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例３】
【０１００】
図７は、実施例３にかかるズームレンズの構成を示す光軸に沿う断面図である。このズームレンズは、図示しない物体側から順に、負の屈折力を有する第１レンズ群Ｇ31と、所定の口径を規定する開口絞りＳＴＯＰと、正の屈折力を有する第２レンズ群Ｇ32と、が配置されて構成される。第２レンズ群Ｇ32と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの撮像素子の受光面が配置される。
【０１０１】
第１レンズ群Ｇ31は、物体側から順に、正の屈折力を有する前群Ｇ31Fと、負の屈折力を有する後群Ｇ31Rと、が配置されて構成される。前群Ｇ31Fは、正レンズＬ311により構成される。この正レンズＬ311は凸面を物体側に向けて配置されている。また、後群Ｇ31Rは、物体側から順に、負レンズＬ312（第１負レンズ）と、負レンズＬ313（第２負レンズ）と、が配置されて構成される。
【０１０２】
第２レンズ群Ｇ32は、物体側から順に、正の屈折力を有する前群Ｇ32Fと、負の屈折力を有する中群Ｇ32Mと、正の屈折力を有する後群Ｇ32Rと、が配置されて構成される。前群Ｇ32Fは、物体側から順に、正レンズＬ321（第１レンズ）と、正レンズＬ322（第２レンズ）と、が配置されて構成される。正レンズＬ321の両面には、それぞれ非球面が形成されている。中群Ｇ32Mは、物体側から順に、負レンズＬ323と、正レンズＬ324と、負レンズＬ325と、が配置されて構成される。負レンズＬ323と正レンズＬ324と負レンズＬ325とは、接合されている。後群Ｇ32Rは、正レンズＬ326により構成される。
【０１０３】
このズームレンズでは、第２レンズ群Ｇ32を光軸に沿って像面ＩＭＧ側から物体側へ移動させることにより広角端から望遠端への変倍を行う。また、第１レンズ群Ｇ31を光軸に沿って物体側から像面ＩＭＧ側へ移動させることにより変倍にともなう像面位置の変動を補正する。
【０１０４】
以下、実施例３にかかるズームレンズに関する各種数値データを示す。
【０１０５】
（レンズデータ）
ｒ1＝19.138
ｄ1＝3.30    ｎｄ1＝1.90366    νｄ1＝31.3
ｒ2＝-66.497
ｄ2＝0.67
ｒ3＝-301.679
ｄ3＝0.70    ｎｄ2＝1.77250    νｄ2＝49.6
ｒ4＝13.061
ｄ4＝1.37
ｒ5＝-12.632
ｄ5＝0.70    ｎｄ3＝1.83500    νｄ3＝43.0
ｒ6＝187.335
ｄ6＝D(6)（可変）
ｒ7＝∞（開口絞り）
ｄ7＝D(7)（可変）
ｒ8＝10.995（非球面）
ｄ8＝2.60    ｎｄ4＝1.59201    νｄ4＝67.0
ｒ9＝-500.078（非球面）
ｄ9＝0.10
ｒ10＝16.761
ｄ10＝4.00    ｎｄ5＝1.49700    νｄ5＝81.6
ｒ11＝-14.807
ｄ11＝0.10
ｒ12＝17.911
ｄ12＝0.70    ｎｄ6＝1.74077    νｄ6＝27.8
ｒ13＝6.459
ｄ13＝3.70    ｎｄ7＝1.49700    νｄ7＝81.6
ｒ14＝-12.080
ｄ14＝0.60    ｎｄ8＝1.63980    νｄ8＝34.6
ｒ15＝6.074
ｄ15＝1.43
ｒ16＝8.474
ｄ16＝3.60    ｎｄ9＝1.94594    νｄ9＝18.0
ｒ17＝20.367
ｄ17＝2.00
ｒ18＝∞
ｄ18＝1.20    ｎｄ10＝1.51633    νｄ10＝64.1
ｒ19＝∞
ｄ19＝D（19）
ｒ20＝∞（像面）
【０１０６】
円錐係数（Ｋ）および非球面係数（Ａ，Ｂ，Ｃ，Ｄ，Ｅ）
（第８面）
Ｋ＝0.4753,
Ａ＝0,   Ｂ＝-1.31686×10-4,
Ｃ＝-4.32094×10-6,   Ｄ＝6.91616×10-8，
Ｅ＝-4.24276×10-9
（第９面）
Ｋ＝101.0000,
Ａ＝0,   Ｂ＝9.84110×10-5,
Ｃ＝-2.70401×10-6,   Ｄ＝-1.45852×10-8，
Ｅ＝-2.21832×10-9
【０１０７】
（変倍データ）
広角端（-0.003倍）    望遠端（-0.007倍）
ｆ（光学系全系の焦点距離）      9.0                    21.8
Ｆナンバー                      1.6                     3.0
ω（半画角）                   19.8                     8.5
D(6)                            8.61                    2.87
D(7)                            8.47                    1.20
D(19)                           2.67                    9.84
【０１０８】
ｆｗ（光学系全系の広角端における焦点距離）＝9.0
ｆｔ（光学系全系の望遠端における焦点距離）＝21.8
Ｆｔ（光学系全系の望遠端におけるＦナンバー）＝3.0
ωｔ（光学系全系の望遠端における半画角）＝8.5
ＢＦｗ（光学系全系の広角端におけるバックフォーカス）＝5.850
ｆ１（第１レンズ群Ｇ31の焦点距離）＝-18.896
ｆ２（第２レンズ群Ｇ32の焦点距離）＝10.634
ν１１（正レンズＬ311のｄ線に対するアッベ数）＝31.3
ν１２（負レンズＬ312（第１負レンズ）のｄ線に対するアッベ数）＝49.6
ν１３（負レンズＬ313（第２負レンズ）のｄ線に対するアッベ数）＝43.0
Φ１１（正レンズＬ311の屈折力）＝0.061
Φ１２（負レンズＬ312（第１負レンズ）の屈折力）＝-0.062
Φ１３（負レンズＬ313（第２負レンズ）の屈折力）＝-0.071
Ｎ１１（正レンズＬ311のｄ線に対する屈折率）＝1.90366
Ｎ１２（負レンズＬ312（第１負レンズ）のｄ線に対する屈折率）＝1.77250
Ｎ１３（負レンズＬ313（第２負レンズ）のｄ線に対する屈折率）＝1.83500
Ｗ０ｄ（光学系全系の広角端におけるｄ線に対するゼロ瞳位置の球面収差値）＝0.000
Ｗ０Ｃ（光学系全系の広角端におけるＣ線に対するゼロ瞳位置の球面収差値）＝0.000
Ｗ１ｄ（光学系全系の広角端におけるｄ線に対する１０割瞳位置の球面収差値）＝0.002
Ｗ１ｇ（光学系全系の広角端におけるｇ線に対する１０割瞳位置の球面収差値）＝0.014
Ｔ０ｄ（光学系全系の望遠端におけるｄ線に対するゼロ瞳位置の球面収差値）＝0.000
Ｔ０Ｃ（光学系全系の望遠端におけるＣ線に対するゼロ瞳位置の球面収差値）＝-0.007
Ｔ１ｄ（光学系全系の望遠端におけるｄ線に対する１０割瞳位置の球面収差値）＝-0.014
Ｔ１ｇ（光学系全系の望遠端におけるｇ線に対する１０割瞳位置の球面収差値）＝-0.013
【０１０９】
（条件式（１）に関する数値）
｜ｆ２／ｆ１｜＝0.56
【０１１０】
（条件式（２）に関する数値）
ν２１（正レンズＬ321（第１レンズ）のｄ線に対するアッベ数）＝67.0
【０１１１】
（条件式（３）に関する数値）
νＢＡ（正レンズＬ324のｄ線に対するアッベ数）＝81.6
【０１１２】
（条件式（４）に関する数値）
ν２２（正レンズＬ322（第２レンズ）のｄ線に対するアッベ数）＝81.6
【０１１３】
（条件式（５）に関する数値）
ν１１／ν１２＝0.63
【０１１４】
（条件式（６）に関する数値）
ν１１／ν１３＝0.73
【０１１５】
（条件式（７）に関する数値）
｜Φ１１／Ｎ１１｜−｜Φ１２／Ｎ１２｜＝0.003
【０１１６】
（条件式（８）に関する数値）
｜Φ１１／Ｎ１１｜−｜Φ１３／Ｎ１３｜＝0.007
【０１１７】
（条件式（９）に関する数値）
ＢＦｗ／ｆｗ＝0.65
【０１１８】
（条件式（１０）に関する数値）
ｆｔ／Ｆｔ＝7.267
【０１１９】
（条件式（１１）に関する数値）
｜ｆ１／ωｔ｜＝2.223
【０１２０】
（条件式（１２）に関する数値）
｜Ｗ０Ｃ−Ｗ０ｄ｜＝0.000
【０１２１】
（条件式（１３）に関する数値）
｜Ｗ１ｇ−Ｗ１ｄ｜＝0.012
【０１２２】
（条件式（１４）に関する数値）
｜Ｔ０Ｃ−Ｔ０ｄ｜＝0.007
【０１２３】
（条件式（１５）に関する数値）
｜Ｔ１ｇ−Ｔ１ｄ｜＝0.001
【０１２４】
また、図８は、実施例３にかかるズームレンズの広角端における諸収差図である。図９は、実施例３にかかるズームレンズの望遠端における諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例４】
【０１２５】
図１０は、実施例４にかかるズームレンズの構成を示す光軸に沿う断面図である。このズームレンズは、図示しない物体側から順に、負の屈折力を有する第１レンズ群Ｇ41と、所定の口径を規定する開口絞りＳＴＯＰと、正の屈折力を有する第２レンズ群Ｇ42と、が配置されて構成される。第２レンズ群Ｇ42と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの撮像素子の受光面が配置される。
【０１２６】
第１レンズ群Ｇ41は、物体側から順に、正の屈折力を有する前群Ｇ41Fと、負の屈折力を有する後群Ｇ41Rと、が配置されて構成される。前群Ｇ41Fは、正レンズＬ411により構成される。この正レンズＬ411は凸面を物体側に向けて配置されている。また、後群Ｇ41Rは、物体側から順に、負レンズＬ412（第１負レンズ）と、負レンズＬ413（第２負レンズ）と、が配置されて構成される。
【０１２７】
第２レンズ群Ｇ42は、物体側から順に、正の屈折力を有する前群Ｇ42Fと、負の屈折力を有する中群Ｇ42Mと、正の屈折力を有する後群Ｇ42Rと、が配置されて構成される。前群Ｇ42Fは、物体側から順に、正レンズＬ421（第１レンズ）と、正レンズＬ422（第２レンズ）と、が配置されて構成される。正レンズＬ421の両面には、それぞれ非球面が形成されている。中群Ｇ42Mは、物体側から順に、負レンズＬ423と、正レンズＬ424と、負レンズＬ425と、が配置されて構成される。負レンズＬ423と正レンズＬ424と負レンズＬ425とは、接合されている。後群Ｇ42Rは、正レンズＬ426により構成される。
【０１２８】
このズームレンズでは、第２レンズ群Ｇ42を光軸に沿って像面ＩＭＧ側から物体側へ移動させることにより広角端から望遠端への変倍を行う。また、第１レンズ群Ｇ41を光軸に沿って物体側から像面ＩＭＧ側へ移動させることにより変倍にともなう像面位置の変動を補正する。
【０１２９】
以下、実施例４にかかるズームレンズに関する各種数値データを示す。
【０１３０】
（レンズデータ）
ｒ1＝16.565
ｄ1＝2.96    ｎｄ1＝1.90366    νｄ1＝31.3
ｒ2＝-62.014
ｄ2＝0.37
ｒ3＝154.605
ｄ3＝0.70    ｎｄ2＝1.77250    νｄ2＝49.6
ｒ4＝11.526
ｄ4＝1.54
ｒ5＝-11.565
ｄ5＝0.70    ｎｄ3＝1.83500    νｄ3＝43.0
ｒ6＝93.962
ｄ6＝D(6)（可変）
ｒ7＝∞（開口絞り）
ｄ7＝D(7)（可変）
ｒ8＝8.657（非球面）
ｄ8＝4.67    ｎｄ4＝1.49710    νｄ4＝81.6
ｒ9＝-36.255（非球面）
ｄ9＝0.10
ｒ10＝20.573
ｄ10＝3.21    ｎｄ5＝1.49700    νｄ5＝81.6
ｒ11＝-20.634
ｄ11＝0.10
ｒ12＝20.939
ｄ12＝0.70    ｎｄ6＝1.74077    νｄ6＝27.8
ｒ13＝6.917
ｄ13＝4.02    ｎｄ7＝1.49700    νｄ7＝81.6
ｒ14＝-7.274
ｄ14＝0.60    ｎｄ8＝1.63980    νｄ8＝34.6
ｒ15＝5.626
ｄ15＝0.73
ｒ16＝7.064
ｄ16＝3.06    ｎｄ9＝1.94594    νｄ9＝18.0
ｒ17＝19.259
ｄ17＝2.00
ｒ18＝∞
ｄ18＝1.20    ｎｄ10＝1.51633    νｄ10＝64.1
ｒ19＝∞
ｄ19＝D（19）
ｒ20＝∞（像面）
【０１３１】
円錐係数（Ｋ）および非球面係数（Ａ，Ｂ，Ｃ，Ｄ，Ｅ）
（第８面）
Ｋ＝0.4556,
Ａ＝0,   Ｂ＝-1.58194×10-4,
Ｃ＝-8.88722×10-7,   Ｄ＝4.43329×10-8，
Ｅ＝-1.96348×10-9
（第９面）
Ｋ＝-21.8628,
Ａ＝0,   Ｂ＝6.32436×10-5,
Ｃ＝-1.97541×10-6,   Ｄ＝9.29828×10-8，
Ｅ＝-2.93725×10-9
【０１３２】
（変倍データ）
広角端（-0.003倍）    望遠端（-0.007倍）
ｆ（光学系全系の焦点距離）      9.0                     21.8
Ｆナンバー                      1.6                      3.0
ω（半画角）                   19.80                     7.80
D(6)                            8.41                     2.94
D(7)                            8.43                     1.20
D(19)                           2.66                     9.82
【０１３３】
ｆｗ（光学系全系の広角端における焦点距離）＝9.0
ｆｔ（光学系全系の望遠端における焦点距離）＝21.8
Ｆｔ（光学系全系の望遠端におけるＦナンバー）＝3.0
ωｔ（光学系全系の望遠端における半画角）＝7.80
ＢＦｗ（光学系全系の広角端におけるバックフォーカス）＝5.850
ｆ１（第１レンズ群Ｇ41の焦点距離）＝-18.660
ｆ２（第２レンズ群Ｇ42の焦点距離）＝10.447
ν１１（正レンズＬ411のｄ線に対するアッベ数）＝31.3
ν１２（負レンズＬ412（第１負レンズ）のｄ線に対するアッベ数）＝49.6
ν１３（負レンズＬ413（第２負レンズ）のｄ線に対するアッベ数）＝43.0
Φ１１（正レンズＬ411の屈折力）＝0.069
Φ１２（負レンズＬ412（第１負レンズ）の屈折力）＝-0.062
Φ１３（負レンズＬ413（第２負レンズ）の屈折力）＝-0.081
Ｎ１１（正レンズＬ411のｄ線に対する屈折率）＝1.90366
Ｎ１２（負レンズＬ412（第１負レンズ）のｄ線に対する屈折率）＝1.77250
Ｎ１３（負レンズＬ413（第２負レンズ）のｄ線に対する屈折率）＝1.83500
Ｗ０ｄ（光学系全系の広角端におけるｄ線に対するゼロ瞳位置の球面収差値）＝0.000
Ｗ０Ｃ（光学系全系の広角端におけるＣ線に対するゼロ瞳位置の球面収差値）＝0.002
Ｗ１ｄ（光学系全系の広角端におけるｄ線に対する１０割瞳位置の球面収差値）＝0.010
Ｗ１ｇ（光学系全系の広角端におけるｇ線に対する１０割瞳位置の球面収差値）＝0.032
Ｔ０ｄ（光学系全系の望遠端におけるｄ線に対するゼロ瞳位置の球面収差値）＝0.000
Ｔ０Ｃ（光学系全系の望遠端におけるＣ線に対するゼロ瞳位置の球面収差値）＝-0.004
Ｔ１ｄ（光学系全系の望遠端におけるｄ線に対する１０割瞳位置の球面収差値）＝-0.011
Ｔ１ｇ（光学系全系の望遠端におけるｇ線に対する１０割瞳位置の球面収差値）＝-0.031
【０１３４】
（条件式（１）に関する数値）
｜ｆ２／ｆ１｜＝0.56
【０１３５】
（条件式（２）に関する数値）
ν２１（正レンズＬ421（第１レンズ）のｄ線に対するアッベ数）＝81.6
【０１３６】
（条件式（３）に関する数値）
νＢＡ（正レンズＬ424のｄ線に対するアッベ数）＝81.6
【０１３７】
（条件式（４）に関する数値）
ν２２（正レンズＬ422（第２レンズ）のｄ線に対するアッベ数）＝81.6
【０１３８】
（条件式（５）に関する数値）
ν１１／ν１２＝0.63
【０１３９】
（条件式（６）に関する数値）
ν１１／ν１３＝0.73
【０１４０】
（条件式（７）に関する数値）
｜Φ１１／Ｎ１１｜−｜Φ１２／Ｎ１２｜＝0.001
【０１４１】
（条件式（８）に関する数値）
｜Φ１１／Ｎ１１｜−｜Φ１３／Ｎ１３｜＝0.008
【０１４２】
（条件式（９）に関する数値）
ＢＦｗ／ｆｗ＝0.65
【０１４３】
（条件式（１０）に関する数値）
ｆｔ／Ｆｔ＝7.267
【０１４４】
（条件式（１１）に関する数値）
｜ｆ１／ωｔ｜＝2.392
【０１４５】
（条件式（１２）に関する数値）
｜Ｗ０Ｃ−Ｗ０ｄ｜＝0.002
【０１４６】
（条件式（１３）に関する数値）
｜Ｗ１ｇ−Ｗ１ｄ｜＝0.022
【０１４７】
（条件式（１４）に関する数値）
｜Ｔ０Ｃ−Ｔ０ｄ｜＝0.004
【０１４８】
（条件式（１５）に関する数値）
｜Ｔ１ｇ−Ｔ１ｄ｜＝0.042
【０１４９】
また、図１１は、実施例４にかかるズームレンズの広角端における諸収差図である。図１２は、実施例４にかかるズームレンズの望遠端における諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例５】
【０１５０】
図１３は、実施例５にかかるズームレンズの構成を示す光軸に沿う断面図である。このズームレンズは、図示しない物体側から順に、負の屈折力を有する第１レンズ群Ｇ51と、所定の口径を規定する開口絞りＳＴＯＰと、正の屈折力を有する第２レンズ群Ｇ52と、が配置されて構成される。第２レンズ群Ｇ52と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの撮像素子の受光面が配置される。
【０１５１】
第１レンズ群Ｇ51は、物体側から順に、正の屈折力を有する前群Ｇ51Fと、負の屈折力を有する後群Ｇ51Rと、が配置されて構成される。前群Ｇ51Fは、正レンズＬ511により構成される。この正レンズＬ511は凸面を物体側に向けて配置されている。また、後群Ｇ51Rは、物体側から順に、負レンズＬ512（第１負レンズ）と、負レンズＬ513（第２負レンズ）と、が配置されて構成される。
【０１５２】
第２レンズ群Ｇ52は、物体側から順に、正の屈折力を有する前群Ｇ52Fと、負の屈折力を有する中群Ｇ52Mと、正の屈折力を有する後群Ｇ52Rと、が配置されて構成される。前群Ｇ52Fは、物体側から順に、正レンズＬ521（第１レンズ）と、正レンズＬ522（第２レンズ）と、負レンズＬ523と、が配置されて構成される。正レンズＬ521の両面には、それぞれ非球面が形成されている。正レンズＬ522と負レンズＬ523とは、接合されている。中群Ｇ52Mは、物体側から順に、正レンズＬ524と、負レンズＬ525と、が配置されて構成される。正レンズＬ524と負レンズＬ525とは、接合されている。後群Ｇ52Rは、正レンズＬ526により構成される。
【０１５３】
このズームレンズでは、第２レンズ群Ｇ52を光軸に沿って像面ＩＭＧ側から物体側へ移動させることにより広角端から望遠端への変倍を行う。また、第１レンズ群Ｇ51を光軸に沿って物体側から像面ＩＭＧ側へ移動させることにより変倍にともなう像面位置の変動を補正する。
【０１５４】
以下、実施例５にかかるズームレンズに関する各種数値データを示す。
【０１５５】
（レンズデータ）
ｒ1＝15.575
ｄ1＝3.50    ｎｄ1＝1.80518    νｄ1＝25.5
ｒ2＝-85.348
ｄ2＝0.62
ｒ3＝217.904
ｄ3＝0.60    ｎｄ2＝1.80610    νｄ2＝33.3
ｒ4＝13.009
ｄ4＝1.24
ｒ5＝-14.096
ｄ5＝0.60    ｎｄ3＝1.80610    νｄ3＝33.3
ｒ6＝48.628
ｄ6＝D(6)（可変）
ｒ7＝∞（開口絞り）
ｄ7＝D(7)（可変）
ｒ8＝8.102（非球面）
ｄ8＝4.69    ｎｄ4＝1.59201    νｄ4＝67.0
ｒ9＝-24.520（非球面）
ｄ9＝0.10
ｒ10＝13.666
ｄ10＝2.98    ｎｄ5＝1.49700    νｄ5＝81.6
ｒ11＝-17.733
ｄ11＝0.60    ｎｄ6＝1.59270    νｄ6＝35.5
ｒ12＝5.535
ｄ12＝0.34
ｒ13＝6.876
ｄ13＝3.63    ｎｄ7＝1.49700    νｄ7＝81.6
ｒ14＝-6.986
ｄ14＝0.60    ｎｄ8＝1.63980    νｄ8＝34.6
ｒ15＝7.656
ｄ15＝0.89
ｒ16＝9.097
ｄ16＝2.09    ｎｄ9＝1.94594    νｄ9＝18.0
ｒ17＝62.161
ｄ17＝2.00
ｒ18＝∞
ｄ18＝1.20    ｎｄ10＝1.51633    νｄ10＝64.1
ｒ19＝∞
ｄ19＝D（19）
ｒ20＝∞（像面）
【０１５６】
円錐係数（Ｋ）および非球面係数（Ａ，Ｂ，Ｃ，Ｄ，Ｅ）
（第８面）
Ｋ＝-0.0749,
Ａ＝0,   Ｂ＝3.20715×10-5,
Ｃ＝1.55365×10-6,   Ｄ＝-3.80841×10-8，
Ｅ＝1.71226×10-9
（第９面）
Ｋ＝13.1766,
Ａ＝0,   Ｂ＝1.88643×10-4,
Ｃ＝3.60088×10-6,   Ｄ＝-7.79696×10-8，
Ｅ＝3.73443×10-9
【０１５７】
（変倍データ）
広角端（-0.003倍）    望遠端（-0.007倍）
ｆ（光学系全系の焦点距離）      9.1                     21.8
Ｆナンバー                      1.6                      2.9
ω（半画角）                   20.0                      7.9
D(6)                           10.01                     2.92
D(7)                            8.33                     1.20
D(19)                           2.58                     9.60
【０１５８】
ｆｗ（光学系全系の広角端における焦点距離）＝9.1
ｆｔ（光学系全系の望遠端における焦点距離）＝21.8
Ｆｔ（光学系全系の望遠端におけるＦナンバー）＝2.9
ωｔ（光学系全系の望遠端における半画角）＝7.9
ＢＦｗ（光学系全系の広角端におけるバックフォーカス）＝5.730
ｆ１（第１レンズ群Ｇ51の焦点距離）＝-19.992
ｆ２（第２レンズ群Ｇ52の焦点距離）＝11.081
ν１１（正レンズＬ511のｄ線に対するアッベ数）＝25.5
ν１２（負レンズＬ512（第１負レンズ）のｄ線に対するアッベ数）＝33.3
ν１３（負レンズＬ513（第２負レンズ）のｄ線に対するアッベ数）＝33.3
Φ１１（正レンズＬ511の屈折力）＝0.061
Φ１２（負レンズＬ512（第１負レンズ）の屈折力）＝-0.058
Φ１３（負レンズＬ513（第２負レンズ）の屈折力）＝-0.074
Ｎ１１（正レンズＬ511のｄ線に対する屈折率）＝1.80518
Ｎ１２（負レンズＬ512（第１負レンズ）のｄ線に対する屈折率）＝1.80610
Ｎ１３（負レンズＬ513（第２負レンズ）のｄ線に対する屈折率）＝1.80610
Ｗ０ｄ（光学系全系の広角端におけるｄ線に対するゼロ瞳位置の球面収差値）＝0.000
Ｗ０Ｃ（光学系全系の広角端におけるＣ線に対するゼロ瞳位置の球面収差値）＝0.010
Ｗ１ｄ（光学系全系の広角端におけるｄ線に対する１０割瞳位置の球面収差値）＝0.010
Ｗ１ｇ（光学系全系の広角端におけるｇ線に対する１０割瞳位置の球面収差値）＝0.008
Ｔ０ｄ（光学系全系の望遠端におけるｄ線に対するゼロ瞳位置の球面収差値）＝0.000
Ｔ０Ｃ（光学系全系の望遠端におけるＣ線に対するゼロ瞳位置の球面収差値）＝-0.012
Ｔ１ｄ（光学系全系の望遠端におけるｄ線に対する１０割瞳位置の球面収差値）＝-0.033
Ｔ１ｇ（光学系全系の望遠端におけるｇ線に対する１０割瞳位置の球面収差値）＝0.002
【０１５９】
（条件式（１）に関する数値）
｜ｆ２／ｆ１｜＝0.55
【０１６０】
（条件式（２）に関する数値）
ν２１（正レンズＬ521（第１レンズ）のｄ線に対するアッベ数）＝67.0
【０１６１】
（条件式（３）に関する数値）
νＢＡ（正レンズＬ524のｄ線に対するアッベ数）＝81.6
【０１６２】
（条件式（４）に関する数値）
ν２２（正レンズＬ522（第２レンズ）のｄ線に対するアッベ数）＝81.6
【０１６３】
（条件式（５）に関する数値）
ν１１／ν１２＝0.77
【０１６４】
（条件式（６）に関する数値）
ν１１／ν１３＝0.77
【０１６５】
（条件式（７）に関する数値）
｜Φ１１／Ｎ１１｜−｜Φ１２／Ｎ１２｜＝0.001
【０１６６】
（条件式（８）に関する数値）
｜Φ１１／Ｎ１１｜−｜Φ１３／Ｎ１３｜＝0.000
【０１６７】
（条件式（９）に関する数値）
ＢＦｗ／ｆｗ＝0.63
【０１６８】
（条件式（１０）に関する数値）
ｆｔ／Ｆｔ＝7.517
【０１６９】
（条件式（１１）に関する数値）
｜ｆ１／ωｔ｜＝2.531
【０１７０】
（条件式（１２）に関する数値）
｜Ｗ０Ｃ−Ｗ０ｄ｜＝0.010
【０１７１】
（条件式（１３）に関する数値）
｜Ｗ１ｇ−Ｗ１ｄ｜＝0.003
【０１７２】
（条件式（１４）に関する数値）
｜Ｔ０Ｃ−Ｔ０ｄ｜＝0.012
【０１７３】
（条件式（１５）に関する数値）
｜Ｔ１ｇ−Ｔ１ｄ｜＝0.035
【０１７４】
また、図１４は、実施例５にかかるズームレンズの広角端における諸収差図である。図１５は、実施例５にかかるズームレンズの望遠端における諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【０１７５】
なお、上記各実施例中の数値データにおいて、ｒ1，ｒ2，・・・・は各レンズ、開口絞り面などの曲率半径、ｄ1，ｄ2，・・・・は各レンズ、開口絞りなどの肉厚またはそれらの面間隔、ｎｄ1，ｎｄ2，・・・・は各レンズなどのｄ線（λ＝５８７．５６ｎｍ）に対する屈折率、νｄ1，νｄ2，・・・・は各レンズなどのｄ線（λ＝５８７．５６ｎｍ）に対するアッベ数を示している。そして、長さの単位はすべて「ｍｍ」、角度の単位はすべて「°」である。
【０１７６】
また、上記各非球面形状は、光軸からの高さをＨ、レンズ面頂点を原点としたときの高さＨにおける光軸方向の変位量をＸ（Ｈ）、近軸曲率半径をＲ、円錐係数をＫ、２次，４次，６次，８次，１０次の非球面係数をそれぞれＡ，Ｂ，Ｃ，Ｄ，Ｅとし、光の進行方向を正とするとき、以下に示す式により表される。
【０１７７】
【数１】
2012242688.tif 000003
【０１７８】
以上説明したように、上記各実施例のズームレンズは、可視域から近赤外域までの広い波長域の光に対して良好な収差補正を実現し、良質な画像が得られる。特に、上記各条件式を満足することにより、小型でありながら、広い波長域の光に対して結像性能を劣化させる原因となる諸収差を良好に補正することができる。加えて、高変倍も可能になる。また、適宜、非球面レンズや接合レンズを配置して構成することで、より小型で、優れた結像性能を備えることができる。
【産業上の利用可能性】
【０１７９】
以上のように、この発明にかかるズームレンズは、撮像素子が搭載された撮像装置に有用であり、特に、屋外で昼夜間使用される監視カメラに最適である。
【符号の説明】
【０１８０】
Ｇ11，Ｇ21，Ｇ31，Ｇ41，Ｇ51  第１レンズ群
Ｇ12，Ｇ22，Ｇ32，Ｇ42，Ｇ52  第２レンズ群
Ｇ11F，Ｇ12F，Ｇ21F，Ｇ22F，Ｇ31F，Ｇ32F，Ｇ41F，Ｇ42F，Ｇ51F，Ｇ52F  前群
Ｇ12M，Ｇ22M，Ｇ32M，Ｇ42M，Ｇ52M  中群
Ｇ11R，Ｇ12R，Ｇ21R，Ｇ22R，Ｇ31R，Ｇ32R，Ｇ41R，Ｇ42R，Ｇ51R，Ｇ52R  後群
Ｌ111，Ｌ121，Ｌ122，Ｌ123，Ｌ125，Ｌ211，Ｌ221，Ｌ222，Ｌ224，Ｌ311，Ｌ321，Ｌ322，Ｌ324，Ｌ326，Ｌ411，Ｌ421，Ｌ422，Ｌ424，Ｌ426，Ｌ511，Ｌ521，Ｌ522，Ｌ524，Ｌ526  正レンズ
Ｌ112，Ｌ113，Ｌ124，Ｌ126，Ｌ212，Ｌ213，Ｌ223，Ｌ225，Ｌ312，Ｌ313，Ｌ323，Ｌ325，Ｌ412，Ｌ413，Ｌ423，Ｌ425，Ｌ512，Ｌ513，Ｌ523，Ｌ525  負レンズ
ＳＴＯＰ  開口絞り
ＩＭＧ  像面
ＣＧ  カバーガラス
【図１】
2012242688.tif 000004
【図２】
2012242688.tif 000005
【図３】
2012242688.tif 000006
【図４】
2012242688.tif 000007
【図５】
2012242688.tif 000008
【図６】
2012242688.tif 000009
【図７】
2012242688.tif 000010
【図８】
2012242688.tif 000011
【図９】
2012242688.tif 000012
【図１０】
2012242688.tif 000013
【図１１】
2012242688.tif 000014
【図１２】
2012242688.tif 000015
【図１３】
2012242688.tif 000016
【図１４】
2012242688.tif 000017
【図１５】
2012242688.tif 000018